(57)【要約】      （修正有）【課題】改良型データ装置はメイン機体とメイン機体と接続しているデータターミナルを提供する。【解決手段】改良型データ装置は、メイン機体１００とメイン機体１００と接続しているデータターミナルを含み、メイン機体１００の頂部の端面にはキャビティを設置しており、設置キャビティの底の壁には第一スライドキャビティを設置しており、第一スライドキャビティには第一スライドベース１１２を設置しており、第一スライドキャビティの左右の壁に第一歯車ラックを設置しており、第一スライドベース１１２の頂部の端面には左右対称に上下延長設置している第二スライドキャビティを設置している。【選択図】図３
2019134656.tif 000002
【特許請求の範囲】
【請求項１】
改良型データ装置であって、メイン機体と前記メイン機体と接続しているデータターミナルを含み、前記メイン機体の頂部の端面には設置キャビティを設置しており、前記設置キャビティの底の壁には第一スライドキャビティを設置しており、前記第一スライドキャビティには第一スライドベースを設置しており、前記第一スライドキャビティの左右の壁に第一歯車ラックを設置しており、前記第一スライドベースの頂部の端面には左右対称に上下方向に延長して設置している前記第二スライドキャビティがあり、前記第二スライドキャビティには頂部が前記設置キャビティに伸びているスライド棒を設置しており、前記スライド棒の頂部にはライトボード導電装置を設置しており、前記スライド棒の内部端面には第二歯車ラックを設置しており、左右二側にある前記第二スライドキャビティの間にはそれぞれ第一転送キャビティを連通して設置しており、前記第一転送キャビティの下にある第一スライドベースの内部の壁には第二転送キャビティを設置しており、前記第一転送キャビティの中には左右対称に前記第二歯車ラックと相互に合致している第一歯車を設置しており、左右側にある前記第一歯車は第一転送キャビティに設置されている第一コーンホイールと合致しており、前記第一コーンホイールの前端には相互に合致している第二コーンホイールを設置しており、前記第二コーンホールの底部端面には第一アダプターを固定的に設置しており、前記第一アダプターは第一転送キャビティの底の壁と回転可能なように接続しており、その底部の延長末端は第二転送キャビティに伸びており、前記第一アダプターの底部の端面には第一スプライン凹穴を設置しており、前記第二転送キャビティには前記第二スライドベースを可動なように設置しており、前記第二スライドベースには第一電気移送機を設置しており、前記第一電気移送機の頂端には第一スプライン凹穴と接続している第一スプライン棒を電気的に接続しており、前記第一電気移送機の底部には第二スプライン棒を電気的に接続しており、前記第一電気移送機の右側にある前記第二スライドベースにはスレッドにより外ネジを設置しており、前記外ネジ頂部の延長末端は前記第二転送キャビティ内の頂部の壁と回転可能なように接続しており、前記外ネジの底部延長末端には第二電気移送機を電気的に接続しており、前記第二電気移送機の外表面は前記第二転送キャビティ内の底の壁に設置されており、前記第二スプラインスティックの下の前記前記第二送信キャビティの中の底壁には前記第二アダプターが設置され、前記第二アダプターの上の端面の中には前記第二スプラインスティックと協働するように連結する前記第二スプライン凹穴が設置され、前記第二アダプターの底の伸びた末端は、前記第一スライドシートの内壁体の第三送信キャビティの中に挿入し、前記第三送信キャビティは前記第一スライドシートの左右の両側の端面を通過し、左右両側の端面に前記第二アダプターの底の伸びた末端には固定的に第三コーンホイールが設置され、前記第三コーンホイールには送信装置が設置され、前記送信装置には回転協力装置及び前記送信キャビティに設置され、前記第三コーンホイールと相互にエンゲージした第四コーンホイールがあり、前記第四コーンホイールの左右両側には、それぞれ第二歯車が設置され、前記第二歯車の後ろ側には、それぞれ第三歯車が設置され、左側の前記第三歯車と左側の前記第一歯車と相互にエンゲージし、右側の前記第三歯車は相互にエンゲージし、そこには第四歯車が設置され、前記第四歯車の右側は右側の前記第一歯接続と相互にエンゲージし、前記光伝送板装置には固定的に左右の両側に設置された前記スライドロッドの上の端面にあるヒンジシャフト及び前記ヒンジシャフトの上に設置された取り付け板が含まれ、前記取り付け板の底の端面と左側の前記ヒンジシャフトと固定的に連結され、前記取り付け板の底の端面の中にはさらにダブテールキャビティが設置され、前記ダブテールキャビティの中には、ダブテールブロックが設置され、前記ダブテールブロックの底の端面は右側の前記ヒンジシャフトと固定的に連結され、前記取り付け板の上の端面には固定的に光線板が設置されることを特徴とする改良型データ装置。
【発明の詳細な説明】
【技術分野】
【０００１】
本発明は、データ設備の分野に関し、具体的には、改善型データ設備に関する。
【背景技術】
【０００２】
データ端末設備は電気と接続しなければならず、あるいはバッテリーを通して電源を入れることで使用される。現在、それは普通の交流電源あるいは太陽光発電を通して使用されるが、現在の太陽光発電設備では自動制御の角度調整及び収納の操作がまだ実現されていない。
【先行技術文献】
【特許文献】
【０００３】
【特許文献１】中国特許出願公開第107591639号明細書
【発明の概要】
【発明が解決しようとする課題】
【０００４】
本発明の目的は改善型データ設備を提供し、現在の技術の欠陥を克服する点にある。
【０００５】
本発明に係る改良型データ装置によれば、メイン機体とメイン機体と接続しているデータターミナルを含み、前記メイン機体の頂部の端面には設置キャビティを設置しており、前記設置キャビティの底の壁には第一スライドキャビティを設置しており、前記第一スライドキャビティには第一スライドベースを設置しており、前記第一スライドキャビティの左右の壁に第一歯車ラックを設置しており、前記第一スライドベースの頂部の端面には左右対称に上下延長設置している前記第二スライドキャビティがあり、前記第二スライドキャビティには頂部が前記設置キャビティに伸びているスライド棒を設置しており、前記スライド棒の頂部にはライトボード導電装置を設置しており、前記スライド棒の内部端面には第二歯車ラックを設置しており、左右二側にある前記第二スライドキャビティの間にはそれぞれ第一転送キャビティを連通して設置しており、前記第一転送キャビティの下にある第一スライドベースの内部の壁には第二転送キャビティを設置しており、前記第一転送キャビティの中には左右対称に前記第二歯車ラックと相互に合致している第一歯車を設置しており、左右側にある前記第一歯車は第一転送キャビティに設置されている第一コーンホイールと合致しており、前記第一コーンホイールの前端には相互に合致している第二コーンホイールを設置しており、前記第二コーンホールの底部端面には第一アダプターを固定的に設置しており、前記第一アダプターは第一転送キャビティの底の壁と回転可能なように接続しており、その底部の延長末端は第二転送キャビティに伸びており、前記第一アダプターの底部の端面には第一スプライン凹穴を設置しており、前記第二転送キャビティには前記第二スライドベースを可動なように設置しており、前記第二スライドベースには第一電気移送機を設置しており、前記第一電気移送機の頂端には第一スプライン凹穴と接続している第一スプライン棒を電気的に接続しており、前記第一電気移送機の底部には第二スプライン棒を電気的に接続しており、前記第一電気移送機の右側にある前記第二スライドベースにはスレッドにより外ネジを設置しており、前記外ネジ頂部の延長末端は前記第二転送キャビティ内の頂部の壁と回転可能なように接続しており、前記外ネジの底部延長末端には第二電気移送機を電気的に接続しており、前記第二電気移送機の外表面は前記第二転送キャビティ内の底の壁に設置されており、前記第二スプラインスティックのちょうど下の前記前記第二送信キャビティの中の底壁には前記第二アダプターが設置され、前記第二アダプターの上の端面の中には前記第二スプラインスティックと協働するように連結する前記第二スプライン凹穴が設置され、前記第二アダプターの底の伸びた末端は、前記第一スライドシートの内壁体の第三送信キャビティの中に挿入する。前記第三送信キャビティは前記第一スライドシートの左右の両側の端面を通過し、左右両側の端面に前記第二アダプターの底の伸びた末端には固定的に第三コーンホイールが設置され、前記第三コーンホイールには送信装置が設置される。
【０００６】
好ましくは前記送信装置には回転協力装置及び前記送信キャビティに設置されている。前記第三コーンホイールと相互にエンゲージした第四コーンホイールがあり、前記第四コーンホイールの左右両側には、それぞれ第二歯車が設置され、前記第二歯車の後ろ側には、それぞれ第三歯車が設置され、左側の前記第三歯車と左側の前記第一歯車と相互にエンゲージし、右側の前記第三歯車は相互にエンゲージし、そこには第四歯車が設置され、前記第四歯車の右側は右側の前記第一歯接続と相互にエンゲージする。
【０００７】
好ましくは前記光伝送板装置には固定的に左右の両側に設置された前記スライドロッドの上の端面にあるヒンジシャフト及び前記ヒンジシャフトの上に設置された取り付け板が含まれる、前記取り付け板の底の端面と左側の前記ヒンジシャフトと固定的に連結され、前記取り付け板の底の端面の中にはさらにダブテールキャビティが設置される。前記ダブテールキャビティの中には、ダブテールブロックが設置され、前記ダブテールブロックの底の端面は右側の前記ヒンジシャフトと固定的に連結され、前記取り付け板の上の端面には固定的に光線板が設置される。
【発明の効果】
【０００８】
本発明の構造は簡単で、操作が便利で、光伝送板装置の角度調整及び収納の操作を実現し、それは太陽エネルギーの吸収と変換率を高め、さらに寿命を延ばすことができる。
【図面の簡単な説明】
【０００９】
【図１】図１は本発明の一つの改善型データ設備の内部全体構造の説明図である。
【図２】図２は図１の中の拡大されたAの説明図である。
【図３】図３は図１の中の矢印方向構造の説明図である。
【発明を実施するための形態】
【００１０】
図1〜図3を通して、本発明について詳しく説明する。
【００１１】
図１〜図３を参照し、本発明の実施例に係る改良型データ装置はメイン機体１００とメイン機体と接続しているデータターミナル２００を含み、前記メイン機体１００の頂部の端面には設置キャビティ１１０を設置しており、前記設置キャビティ１１０の底の壁には第一スライドキャビティ１１５を設置しており、前記第一スライドキャビティ１１５には第一スライドベースを設置しており、前記第一スライドキャビティ１１５の左右の壁に第一歯車ラック１１４を設置しており、前記第一スライドベース１１２の頂部の端面には左右対称に上下延長設置している前記第二スライドキャビティ１３５があり、前記第二スライドキャビティ１３５には頂部が前記設置キャビティ１１０に伸びているスライド棒１１１を設置しており、前記スライド棒１１１の頂部にはライトボード導電装置を設置しており、前記スライド棒１１１の内部端面には第二歯車ラック１３２を設置しており、左右二側にある前記第二スライドキャビティ１３５の間にはそれぞれ第一転送キャビティ１３４を連通して設置しており、前記第一転送キャビティ１３４の下にある第一スライドベース１１２の内部の壁には第二転送キャビティ１６３を設置しており、前記第一転送キャビティ１３４の中には左右対称に前記第二歯車ラック１３２と相互に合致している第一歯車１３３を設置しており、左右側にある前記第一歯車１３３は第一転送キャビティ１３４に設置されている第一コーンホイール１１３と合致しており、前記第一コーンホイール１１３の前端には相互に合致している第二コーンホイール１３１を設置しており、前記第二コーンホール１３１の底部端面には第一アダプター１５６を固定的に設置しており、前記第一アダプター１５６は第一転送キャビティ１３４の底の壁と回転可能なように接続しており、その底部の延長末端は第二転送キャビティ１６３に伸びており、前記第一アダプター１５６の底部の端面には第一スプライン凹穴１５５を設置しており、前記第二転送キャビティ１６３には前記第二スライドベース１６１を可動なように設置しており、前記第二スライドベース１６１には第一電気移送機１５４を設置しており、前記第一電気移送機１５４の頂端には第一スプライン凹穴１５５と接続している第一スプライン棒１５７を電気的に接続しており、前記第一電気移送機１５４の底部には第二スプライン棒１５３を電気的に接続しており、前記第一電気移送機１５４の右側にある前記第二スライドベース１６１にはスレッドにより外ネジ１６２を設置しており、前記外ネジ１６２頂部の延長末端は前記第二転送キャビティ１６３内の頂部の壁と回転可能なように接続しており、前記外ネジ１６２の底部延長末端には第二電気移送機１６４を電気的に接続しており、前記第二電気移送機１６４の外表面は前記第二転送キャビティ１６３内の底の壁に設置されており、前記第二スプラインスティック153のちょうど下の前記前記第二送信キャビティ163の中の底壁には前記第二アダプター151が設置され、前記第二アダプター151の上の端面の中には前記第二スプラインスティック153と協働するように連結する前記第二スプライン凹穴152が設置され、前記第二アダプター151の底の伸びた末端は、前記第一スライドシート112の内壁体の第三送信キャビティの中に挿入する。前記第三送信キャビティ122は前記第一スライドシート112の左右の両側の端面を通過し、左右両側の端面に前記第二アダプター151の底の伸びた末端には固定的に第三コーンホイール151が設置され、前記第三コーンホイール151には送信装置が設置される。
【００１２】
好ましくは前記送信装置には回転協力装置及び前記送信キャビティ122が設置され、前記第三コーンホイール151と相互にエンゲージした第四コーンホイール126があり、前記第四コーンホイール126の左右両側には、それぞれ第二歯車127が設置され、前記第二歯車127の後ろ側には、それぞれ第三歯車123が設置され、左側の前記第三歯車123と左側の前記第一歯車114と相互にエンゲージし、右側の前記第三歯車123は相互にエンゲージし、そこには第四歯車121が設置され、前記第四歯車121の右側は右側の前記第一歯接続114と相互にエンゲージする。それはさらに、前記第一スライドシート223のリフトとスライドを自動制御する。
【００１３】
好ましくは前記光伝送板装置には固定的に左右の両側に設置された前記スライドロッド111の上の端面にあるヒンジシャフト141及び前記ヒンジシャフト141の上に設置された取り付け板142が含まれる、前記取り付け板142の底の端面と左側の前記ヒンジシャフト141と固定的に連結され、前記取り付け板142の底の端面の中にはさらにダブテールキャビティ145が設置される。前記ダブテールキャビティ145の中には、ダブテールブロック144が設置され、前記ダブテールブロック144の底の端面は右側の前記ヒンジシャフト141と固定的に連結され、前記取り付け板142の上の端面には固定的に光線板143が設置される。それはさらに光線板143の角度の調整を実現する。
【００１４】
本発明の働く原理は以下の通りである。使用中において、第二電気移送機164をスタートし、そして第二スライドシート161を駆動し、第二スプラインスティック153が完全に第二スプライン凹穴152中に挿入するまで下にスライドする。そして、第一電気移送機154をスタートし、左側の第三歯車123と第四歯車121をそれぞれ動かせる。第一歯接続114の働きを通して、第一スライドシート112が上に上昇し、つまり、光線板143が上に向上し、太陽光を吸収する。角度調整が必要な場合、第一スプラインスティック157が完全に第一スプライン凹穴155の中に挿入するまで、第二電気移送機164は第二スライドシート161を駆動し上にスライドする。第一電気移送機154をスタートし、左右両側のスライドドロッド111を逆の方向へスライドさせ、光線板143に対して角度調整を行う。
【００１５】
本発明の有益な効果は、構造が簡単で、操作が便利で、光伝送板装置の角度調整及び収納の操作を実現し、それは太陽エネルギーの吸収と変換率を高め、さらに寿命を延ばすことができる。
【００１６】
本分野の技術者にとって明確なのは本発明の全体的な意義と構造を離れないもとで、以上の実施例に各種の変形を行うことができるということである。それらは全部本発明の保護範囲内にある。本発明の保護方案は本発明の特許請求の範囲を基準とする。
【図１】
2019134656.tif 000003
【図２】
2019134656.tif 000004
【図３】
2019134656.tif 000005
【手続補正書】
【提出日】平成30年11月15日(2018.11.15)
【手続補正１】
【補正対象書類名】特許請求の範囲
【補正対象項目名】全文
【補正方法】変更
【補正の内容】
【特許請求の範囲】
【請求項１】
改良型データ装置であって、メイン機体と前記メイン機体と接続しているデータターミナルを含み、前記メイン機体の頂部の端面には設置キャビティを設置しており、前記設置キャビティの底の壁には第一スライドキャビティを設置しており、前記第一スライドキャビティには第一スライドベースを設置しており、前記第一スライドキャビティの左右の壁に第一歯車ラックを設置しており、前記第一スライドベースの頂部の端面には左右対称に上下方向に延長して設置している第二スライドキャビティがあり、前記第二スライドキャビティには頂部が前記設置キャビティに伸びているスライド棒を設置しており、前記スライド棒の頂部にはライトボード導電装置を設置しており、前記スライド棒の内部端面には第二歯車ラックを設置しており、左右二側にある前記第二スライドキャビティの間にはそれぞれ第一転送キャビティを連通して設置しており、前記第一転送キャビティの下にある第一スライドベースの内部の壁には第二転送キャビティを設置しており、前記第一転送キャビティの中には左右対称に前記第二歯車ラックと相互に合致している第一歯車を設置しており、左右側にある前記第一歯車は第一転送キャビティに設置されている第一コーンホイールと合致しており、前記第一コーンホイールの前端には相互に合致している第二コーンホイールを設置しており、前記第二コーンホイールの底部端面には第一アダプターを固定的に設置しており、前記第一アダプターは第一転送キャビティの底の壁と回転可能なように接続しており、その底部の延長末端は第二転送キャビティに伸びており、前記第一アダプターの底部の端面には第一スプライン凹穴を設置しており、前記第二転送キャビティには第二スライドベースを可動なように設置しており、前記第二スライドベースには第一電気移送機を設置しており、前記第一電気移送機の頂端には第一スプライン凹穴と接続している第一スプライン棒を電気的に接続しており、前記第一電気移送機の底部には第二スプライン棒を電気的に接続しており、前記第一電気移送機の右側にある前記第二スライドベースにはスレッドにより外ネジを設置しており、前記外ネジ頂部の延長末端は前記第二転送キャビティ内の頂部の壁と回転可能なように接続しており、前記外ネジの底部延長末端には第二電気移送機を電気的に接続しており、前記第二電気移送機の外表面は前記第二転送キャビティ内の底の壁に設置されており、前記第二スプライン棒の下の前記前記第二転送キャビティの中の底壁には第二アダプターが設置され、前記第二アダプターの上の端面の中には前記第二スプライン棒と協働するように連結する第二スプライン凹穴が設置され、前記第二アダプターの底の伸びた末端は、前記第一スライドベースの内壁体の第三送信キャビティの中に挿入し、前記第三送信キャビティは前記第一スライドベースの左右の両側の端面を通過し、前記第二アダプターの底の伸びた末端には固定的に第三コーンホイールが設置され、前記第三コーンホイールには送信装置が動力で係合装着され、前記送信装置が前記第三送信キャビティの中に回転できるように係合設置され且つ前記第三コーンホイールと噛み合う第四コーンホイールを含み、前記第四コーンホイールの左右両側には、それぞれ第二歯車が設置され、前記第二歯車の後ろ側には、それぞれ第三歯車が設置され、左側の前記第三歯車と左側の前記第一歯車ラックと相互にエンゲージし、右側の前記第三歯車は相互にエンゲージし、そこには第四歯車が設置され、前記第四歯車の右側は右側の前記第一歯車ラックと相互にエンゲージし、前記ライトボード導電装置には固定的に左右の両側に設置された前記スライド棒の上の端面にあるヒンジシャフト及び前記ヒンジシャフトの上に設置された取り付け板が含まれ、前記取り付け板の底の端面と左側の前記ヒンジシャフトと固定的に連結され、前記取り付け板の底の端面の中にはさらにダブテールキャビティが設置され、前記ダブテールキャビティの中には、ダブテールブロックが設置され、前記ダブテールブロックの底の端面は右側の前記ヒンジシャフトと固定的に連結され、前記取り付け板の上の端面には固定的に光線板が設置されることを特徴とする改良型データ装置。
【手続補正２】
【補正対象書類名】明細書
【補正対象項目名】全文
【補正方法】変更
【補正の内容】
【発明の詳細な説明】
【技術分野】
【０００１】
本発明は、データ設備の分野に関し、具体的には、改善型データ設備に関する。
【背景技術】
【０００２】
データ端末設備は電気と接続しなければならず、あるいはバッテリーを通して電源を入れることで使用される。現在、それは普通の交流電源あるいは太陽光発電を通して使用されるが、現在の太陽光発電設備では自動制御の角度調整及び収納の操作がまだ実現されていない。
【先行技術文献】
【特許文献】
【０００３】
【特許文献１】中国特許出願公開第107591639号明細書
【発明の概要】
【発明が解決しようとする課題】
【０００４】
本発明の目的は改善型データ設備を提供し、現在の技術の欠陥を克服する点にある。
【０００５】
本発明に係る改良型データ装置によれば、メイン機体とメイン機体と接続しているデータターミナルを含み、前記メイン機体の頂部の端面には設置キャビティを設置しており、前記設置キャビティの底の壁には第一スライドキャビティを設置しており、前記第一スライドキャビティには第一スライドベースを設置しており、前記第一スライドキャビティの左右の壁に第一歯車ラックを設置しており、前記第一スライドベースの頂部の端面には左右対称に上下延長設置している第二スライドキャビティがあり、前記第二スライドキャビティには頂部が前記設置キャビティに伸びているスライド棒を設置しており、前記スライド棒の頂部にはライトボード導電装置を設置しており、前記スライド棒の内部端面には第二歯車ラックを設置しており、左右二側にある前記第二スライドキャビティの間にはそれぞれ第一転送キャビティを連通して設置しており、前記第一転送キャビティの下にある第一スライドベースの内部の壁には第二転送キャビティを設置しており、前記第一転送キャビティの中には左右対称に前記第二歯車ラックと相互に合致している第一歯車を設置しており、左右側にある前記第一歯車は第一転送キャビティに設置されている第一コーンホイールと合致しており、前記第一コーンホイールの前端には相互に合致している第二コーンホイールを設置しており、前記第二コーンホイールの底部端面には第一アダプターを固定的に設置しており、前記第一アダプターは第一転送キャビティの底の壁と回転可能なように接続しており、その底部の延長末端は第二転送キャビティに伸びており、前記第一アダプターの底部の端面には第一スプライン凹穴を設置しており、前記第二転送キャビティには第二スライドベースを可動なように設置しており、前記第二スライドベースには第一電気移送機を設置しており、前記第一電気移送機の頂端には第一スプライン凹穴と接続している第一スプライン棒を電気的に接続しており、前記第一電気移送機の底部には第二スプライン棒を電気的に接続しており、前記第一電気移送機の右側にある前記第二スライドベースにはスレッドにより外ネジを設置しており、前記外ネジ頂部の延長末端は前記第二転送キャビティ内の頂部の壁と回転可能なように接続しており、前記外ネジの底部延長末端には第二電気移送機を電気的に接続しており、前記第二電気移送機の外表面は前記第二転送キャビティ内の底の壁に設置されており、前記第二スプライン棒のちょうど下の前記前記第二転送キャビティの中の底壁には第二アダプターが設置され、前記第二アダプターの上の端面の中には前記第二スプライン棒と協働するように連結する第二スプライン凹穴が設置され、前記第二アダプターの底の伸びた末端は、前記第一スライドベースの内壁体の第三送信キャビティの中に挿入する。前記第三送信キャビティは前記第一スライドベースの左右の両側の端面を通過し、前記第二アダプターの底の伸びた末端には固定的に第三コーンホイールが設置され、前記第三コーンホイールには送信装置が動力で係合装着される。
【０００６】
好ましくは前記送信装置が前記第三送信キャビティの中に回転できるように係合設置され且つ前記第三コーンホイールと噛み合う第四コーンホイールを含み、前記第四コーンホイールの左右両側には、それぞれ第二歯車が設置され、前記第二歯車の後ろ側には、それぞれ第三歯車が設置され、左側の前記第三歯車と左側の前記第一歯車ラックと相互にエンゲージし、右側の前記第三歯車は相互にエンゲージし、そこには第四歯車が設置され、前記第四歯車の右側は右側の前記第一歯車ラックと相互にエンゲージする。
【０００７】
好ましくは前記ライトボード導電装置には固定的に左右の両側に設置された前記スライド棒の上の端面にあるヒンジシャフト及び前記ヒンジシャフトの上に設置された取り付け板が含まれる、前記取り付け板の底の端面と左側の前記ヒンジシャフトと固定的に連結され、前記取り付け板の底の端面の中にはさらにダブテールキャビティが設置される。前記ダブテールキャビティの中には、ダブテールブロックが設置され、前記ダブテールブロックの底の端面は右側の前記ヒンジシャフトと固定的に連結され、前記取り付け板の上の端面には固定的に光線板が設置される。
【発明の効果】
【０００８】
本発明の構造は簡単で、操作が便利で、ライトボード導電装置の角度調整及び収納の操作を実現し、それは太陽エネルギーの吸収と変換率を高め、さらに寿命を延ばすことができる。
【図面の簡単な説明】
【０００９】
【図１】図１は本発明の一つの改善型データ設備の内部全体構造の説明図である。
【図２】図２は図１の中の拡大されたAの説明図である。
【図３】図３は図１の中の矢印方向構造の説明図である。
【発明を実施するための形態】
【００１０】
図1〜図3を通して、本発明について詳しく説明する。
【００１１】
図１〜図３を参照し、本発明の実施例に係る改良型データ装置はメイン機体１００とメイン機体と接続しているデータターミナル２００を含み、前記メイン機体１００の頂部の端面には設置キャビティ１１０を設置しており、前記設置キャビティ１１０の底の壁には第一スライドキャビティ１１５を設置しており、前記第一スライドキャビティ１１５には第一スライドベースを設置しており、前記第一スライドキャビティ１１５の左右の壁に第一歯車ラック１１４を設置しており、前記第一スライドベース１１２の頂部の端面には左右対称に上下延長設置している第二スライドキャビティ１３５があり、前記第二スライドキャビティ１３５には頂部が前記設置キャビティ１１０に伸びているスライド棒１１１を設置しており、前記スライド棒１１１の頂部にはライトボード導電装置を設置しており、前記スライド棒１１１の内部端面には第二歯車ラック１３２を設置しており、左右二側にある前記第二スライドキャビティ１３５の間にはそれぞれ第一転送キャビティ１３４を連通して設置しており、前記第一転送キャビティ１３４の下にある第一スライドベース１１２の内部の壁には第二転送キャビティ１６３を設置しており、前記第一転送キャビティ１３４の中には左右対称に前記第二歯車ラック１３２と相互に合致している第一歯車１３３を設置しており、左右側にある前記第一歯車１３３は第一転送キャビティ１３４に設置されている第一コーンホイール１１３と合致しており、前記第一コーンホイール１１３の前端には相互に合致している第二コーンホイール１３１を設置しており、前記第二コーンホイール１３１の底部端面には第一アダプター１５６を固定的に設置しており、前記第一アダプター１５６は第一転送キャビティ１３４の底の壁と回転可能なように接続しており、その底部の延長末端は第二転送キャビティ１６３に伸びており、前記第一アダプター１５６の底部の端面には第一スプライン凹穴１５５を設置しており、前記第二転送キャビティ１６３には第二スライドベース１６１を可動なように設置しており、前記第二スライドベース１６１には第一電気移送機１５４を設置しており、前記第一電気移送機１５４の頂端には第一スプライン凹穴１５５と接続している第一スプライン棒１５７を電気的に接続しており、前記第一電気移送機１５４の底部には第二スプライン棒１５３を電気的に接続しており、前記第一電気移送機１５４の右側にある前記第二スライドベース１６１にはスレッドにより外ネジ１６２を設置しており、前記外ネジ１６２頂部の延長末端は前記第二転送キャビティ１６３内の頂部の壁と回転可能なように接続しており、前記外ネジ１６２の底部延長末端には第二電気移送機１６４を電気的に接続しており、前記第二電気移送機１６４の外表面は前記第二転送キャビティ１６３内の底の壁に設置されており、前記第二スプライン棒153のちょうど下の前記前記第二転送キャビティ163の中の底壁には第二アダプター151が設置され、前記第二アダプター151の上の端面の中には第二スプライン棒153と協働するように連結する第二スプライン凹穴152が設置され、前記第二アダプター151の底の伸びた末端は、前記第一スライドベース112の内壁体の第三送信キャビティの中に挿入する。前記第三送信キャビティ122は前記第一スライドベース112の左右の両側の端面を通過し、前記第二アダプター151の底の伸びた末端には固定的に第三コーンホイール151が設置され、前記第三コーンホイール151には送信装置が動力で係合装着される。
【００１２】
好ましくは前記送信装置が前記第三送信キャビティ122の中に回転できるように係合設置され且つ前記第三コーンホイール151と噛み合う第四コーンホイール126を含み、前記第四コーンホイール126の左右両側には、それぞれ第二歯車127が設置され、前記第二歯車127の後ろ側には、それぞれ第三歯車123が設置され、左側の前記第三歯車123と左側の前記第一歯車ラック114と相互にエンゲージし、右側の前記第三歯車123は相互にエンゲージし、そこには第四歯車121が設置され、前記第四歯車121の右側は右側の前記第一歯車ラック114と相互にエンゲージする。それはさらに、前記第一スライドベース223のリフトとスライドを自動制御する。
【００１３】
好ましくは前記ライトボード導電装置には固定的に左右の両側に設置された前記スライド棒111の上の端面にあるヒンジシャフト141及び前記ヒンジシャフト141の上に設置された取り付け板142が含まれる、前記取り付け板142の底の端面と左側の前記ヒンジシャフト141と固定的に連結され、前記取り付け板142の底の端面の中にはさらにダブテールキャビティ145が設置される。前記ダブテールキャビティ145の中には、ダブテールブロック144が設置され、前記ダブテールブロック144の底の端面は右側の前記ヒンジシャフト141と固定的に連結され、前記取り付け板142の上の端面には固定的に光線板143が設置される。それはさらに光線板143の角度の調整を実現する。
【００１４】
本発明の働く原理は以下の通りである。使用中において、第二電気移送機164をスタートし、そして第二スライドシート161を駆動し、第二スプライン棒153が完全に第二スプライン凹穴152中に挿入するまで下にスライドする。そして、第一電気移送機154をスタートし、左側の第三歯車123と第四歯車121をそれぞれ動かせる。第一歯接続114の働きを通して、第一スライドベース112が上に上昇し、つまり、光線板143が上に向上し、太陽光を吸収する。角度調整が必要な場合、第一スプライン棒157が完全に第一スプライン凹穴155の中に挿入するまで、第二電気移送機164は第二スライドシート161を駆動し上にスライドする。第一電気移送機154をスタートし、左右両側のスライドドロッド111を逆の方向へスライドさせ、光線板143に対して角度調整を行う。
【００１５】
本発明の有益な効果は、構造が簡単で、操作が便利で、ライトボード導電装置の角度調整及び収納の操作を実現し、それは太陽エネルギーの吸収と変換率を高め、さらに寿命を延ばすことができる。
【００１６】
本分野の技術者にとって明確なのは本発明の全体的な意義と構造を離れないもとで、以上の実施例に各種の変形を行うことができるということである。それらは全部本発明の保護範囲内にある。本発明の保護方案は本発明の特許請求の範囲を基準とする。